(57)【要約】【課題】本発明は高精度高効率の3Dプリンターを開示した。【解決手段】台座を含み、前記台座の内部に回転筐体が設置され、前記回転筐体の上端壁の左右両端に対称に滑走溝が設置され、前記滑走溝が回転筐体と取付台と連結し、前記取付台と台座が滑走溝を通じて摺動可能なように係合し接続し、前記回転筐体の前端壁に取付穴が設置され、前記取付穴の前端壁に第一駆動機が固定的に接続され、前記取付穴の前端壁にスルーホールが設置され、前記スルーホールが取付穴と回転筐体をつなげ、前記第一駆動機に前端がスルーホールを通り抜ける回転軸Aが動力が伝達可能なように接続され、前記回転軸Aの前端に固定的に接続する円錐形プーリーAが設置され、前記円錐形プーリーAにそれと係合し接続する円錐形プーリーBが設置される。【選択図】図2
2019181556.tif 000002
【特許請求の範囲】
【請求項１】
高精度高効率の3Dプリンターであって、台座を含み、前記台座の内部に回転筐体が設置され、前記回転筐体の上端壁の左右両端に対称に滑走溝が設置され、前記滑走溝が回転筐体と取付台とを連結し、前記取付台と台座が滑走溝を通じて摺動可能なように係合し接続し、前記回転筐体の前端壁に取付穴が設置され、前記取付穴の前端壁に第一駆動機が固定的に接続され、前記取付穴の前端壁にスルーホールが設置され、前記スルーホールが取付穴と回転筐体をつなげ、前記第一駆動機に前端がスルーホールを通り抜ける回転軸Aが動力が伝達可能なように接続され、前記回転軸Aの前端に固定的に接続する円錐形プーリーAが設置され、前記円錐形プーリーAにそれと係合し接続する円錐形プーリーBが設置され、前記円錐形プーリーBの中心にそれと固定し接続する回転軸Aが設置され、前記回転軸Aが回転筐体の左右両端壁と回転可能なように接続し、前記回転軸Aの一番左端に固定的に接続する第一プーリが設置され、前記第一プーリの前端にベルトを通じて駆動する第二プーリが設置され、前記第二プーリの中心にそれと固定し接続する回転軸Bが設置され、前記回転軸Aと回転軸Bに左右に対称にギアAが設置され、前記取付台の下端面に左右両端が対称的に二つの歯形溝が設置され、前記ギアAが歯形溝と転動し接続し、前記回転軸Aと回転軸Bに左右に対称的にベアリングが設置され、前記台座の上端面の左右両端に対称的に支持レバーが設置され、前記支持レバーの上端面に二つのそれと固定的に接続する固定接続ブロックが設置され、前記固定接続ブロックに油圧溝が設置され、左側の油圧溝の上端面に油圧穴Aが設置され、右側の油圧溝の上端面に油圧穴Bが設置され、前記油圧穴Aと油圧穴Bに電磁弁が設置され、前記油圧穴Aと油圧穴Bに導流管が設置されそれらを連結し、前記導流管の中心に油圧ポンプが設置され、左右両側の油圧溝にプッシュロッドが設置され、前記プッシュロッドの中心に印刷装置が固定的に接続し、前記印刷装置が取付箱を含み、前記取付箱にキャビティが設置され、前記キャビティの上端面に第二駆動機が設置され、前記第二駆動機の下端に回転軸Bが設置され、前記回転軸Bの下端にそれと固定し接続する円錐形プーリーCが設置され、前記円錐形プーリーCの下にそれと係合し接続する円錐形プーリーDが設置され、前記円錐形プーリーDの中心にそれと固定的に接続する回転軸Cが設置され、前記回転軸Cがキャビティの左右端壁と回転可能なように接続し、前記回転軸Cに前記円錐形プーリーDの左側に位置するギアBが固定的に取り付けられ、前記ギアBの下にそれと係合し接続するギアCが設置され、前記ギアCの中心にそれと固定的に接続する回転軸Dが設置され、前記回転軸Dがキャビティの左右端壁と回転可能なように接続し、前記回転軸Dに前記ギアCの右側に位置する偏心輪が固定的に取り付けられ、前記偏心輪の下端面に滑走レバーが設置され、前記滑走レバーの上端に左右に対称的に案内ブロックが設置され、前記キャビティの壁が案内ブロックと対応する位置に案内溝が設置され、前記案内ブロックが案内溝に位置し上下に滑走でき、前記案内溝の上端壁に収縮溝が設置され、前記収縮溝の上端壁にバネが固定的に接続され、前記バネの下端が収縮溝を通り抜けて案内ブロックと固定的に接続し、前記滑走レバーの下端がキャビティを通り抜けてレーザープリントヘッドが固定的に接続され、前記取付台の上端面に均等に分布する多くのねじ回転構造が設置され、前記ねじ回転構造が前記取付台に設置される回転筐体を含み、前記回転筐体に回転ボルトと固定的に接続するギアDが設置され、前記ギアDの右側にそれと係合し接続するギアEが設置され、前記ギアEの中心にそれと固定的に接続する筒セットが設置され、前記筒セットの内部にねじ穴が設置され、前記ねじ穴にねじレバーが係合し接続され、前記ねじレバーの下端面に側溝が設置され、前記側溝に前記ねじレバーの下端面と固定的に接続するブロックが滑走できるように係合され、その作用はねじレバーが上下に運動することを保証し、ねじレバーが回転し運動することを防ぎ、前記ねじレバーが取付台と接続する所に固定的に接続する固定接続板が設置され、前記バネが弾力が滑走レバーとレーザープリントヘッドの重量の和より大きく、前記回転ボルトの上端にブリケットが嵌着されることを特徴とする高精度高効率の3Dプリンター。
【発明の詳細な説明】
【技術分野】
【０００１】
本発明はプリント技術分野に関し、具体的には高精度高効率の3Dプリンターに関する。
【背景技術】
【０００２】
3 Dプリンターは工業生産に広く応用され、しかし伝統的な3 Dプリンターの設置モードが簡単で、印刷物を取り付けて固定できなく、印刷効果に深刻な影響があり、そして伝統的な3 Dプリンターが印刷する過程に全方位に移動できなく、その印刷限定性が大きく、大きい弊害が存在し、改善する必要がある。
【先行技術文献】
【特許文献】
【０００３】
【特許文献１】中国特許出願公開第105483498号明細書
【発明の概要】
【発明が解決しようとする課題】
【０００４】
本発明は解決する必要な技術問題に対して高精度高効率の3Dプリンターを提供し、それは上記の現在の技術問題を解決できる。
【課題を解決するための手段】
【０００５】
上記の目的を実現するため、本発明は以下の技術方案を提供する。高精度高効率の3Dプリンターは台座を含み、前記台座の内部に回転筐体が設置され、前記回転筐体の上端壁の左右両端に対称に滑走溝が設置され、前記滑走溝が回転筐体と取付台と連結し、前記取付台と台座が滑走溝を通じて摺動可能なように係合し接続し、前記回転筐体の前端壁に取付穴が設置され、前記取付穴の前端壁に第一駆動機が固定的に接続され、前記取付穴の前端壁にスルーホールが設置され、前記スルーホールが取付穴と回転筐体をつなげ、前記第一駆動機に前端がスルーホールを通り抜ける回転軸Aが動力が伝達可能なように接続され、前記回転軸Aの前端に固定的に接続する円錐形プーリーAが設置され、前記円錐形プーリーAにそれと係合し接続する円錐形プーリーBが設置され、前記円錐形プーリーBの中心にそれと固定し接続する回転軸Aが設置され、前記回転軸Aが回転筐体の左右両端壁と回転可能なように接続し、前記回転軸Aの一番左端に固定的に接続する第一プーリが設置され、前記第一プーリの前端にベルトを通じて駆動する第二プーリが設置され、前記第二プーリの中心にそれと固定し接続する回転軸Bが設置され、前記回転軸Aと回転軸Bに左右に対称にギアAが設置され、前記取付台の下端面に左右両端が対称的に二つの歯形溝が設置され、前記ギアAが歯形溝と転動し接続し、前記回転軸Aと回転軸Bに左右に対称的にベアリングが設置され、前記台座の上端面の左右両端に対称的に支持レバーが設置され、前記支持レバーの上端面に二つのそれと固定的に接続する固定接続ブロックが設置され、前記固定接続ブロックに油圧溝が設置され、左側の油圧溝の上端面に油圧穴Aが設置され、右側の油圧溝の上端面に油圧穴Bが設置され、前記油圧穴Aと油圧穴Bに電磁弁が設置され、前記油圧穴Aと油圧穴Bに導流管が設置されそれらを連結し、前記導流管の中心に油圧ポンプが設置され、左右両側の油圧溝にプッシュロッドが設置され、前記プッシュロッドの中心に印刷装置が固定的に接続し、前記印刷装置が取付箱を含み、前記取付箱にキャビティが設置され、前記キャビティの上端面に第二駆動機が設置され、前記第二駆動機の下端に回転軸Bが設置され、前記回転軸Bの下端にそれと固定し接続する円錐形プーリーCが設置され、前記円錐形プーリーCの下にそれと係合し接続する円錐形プーリーDが設置され、前記円錐形プーリーDの中心にそれと固定的に接続する回転軸Cが設置され、前記回転軸Cがキャビティの左右端壁と回転可能なように接続し、前記回転軸Cに前記円錐形プーリーDの左側に位置するギアBが固定的に取り付けられ、前記ギアBの下にそれと係合し接続するギアCが設置され、前記ギアCの中心にそれと固定的に接続する回転軸Dが設置され、前記回転軸Dがキャビティの左右端壁と回転可能なように接続し、前記回転軸Dに前記ギアCの右側に位置する偏心輪が固定的に取り付けられ、前記偏心輪の下端面に滑走レバーが設置され、前記滑走レバーの上端に左右に対称的に案内ブロックが設置され、前記キャビティの壁が案内ブロックと対応する位置に案内溝が設置され、前記案内ブロックが案内溝に位置し上下に滑走でき、前記案内溝の上端壁に収縮溝が設置され、前記収縮溝の上端壁にバネが固定的に接続され、前記バネの下端が収縮溝を通り抜けて案内ブロックと固定的に接続し、前記滑走レバーの下端がキャビティを通り抜けてレーザープリントヘッドが固定的に接続され、前記取付台の上端面に均等に分布する多くのねじ回転構造が設置され、前記ねじ回転構造が前記取付台に設置される回転筐体を含み、前記回転筐体に回転ボルトと固定的に接続するギアDが設置され、前記ギアDの右側にそれと係合し接続するギアEが設置され、前記ギアEの中心にそれと固定的に接続する筒セットが設置され、前記筒セットの内部にねじ穴が設置され、前記ねじ穴にねじレバーが係合し接続され、前記ねじレバーの下端面に側溝が設置され、前記側溝に前記ねじレバーの下端面と固定的に接続するブロックが滑走できるように係合され、その作用はねじレバーが上下に運動することを保証し、ねじレバーが回転し運動することを防ぎ、前記ねじレバーが取付台と接続する所に固定的に接続する固定接続板が設置される。
【０００６】
好ましい技術方案として前記バネが弾力が滑走レバーとレーザープリントヘッドの重量の和よりはるかに大きい。
【０００７】
好ましい技術方案として前記回転ボルトの上端にブリケットが嵌着される。
【０００８】
現在の技術と比べ、本発明の有益な効果は、使用する時に、第一駆動機が作業し、回転軸Aが回転し、円錐形プーリーAと円錐形プーリーBが係合し伝動し、回転軸Aと連動して回転し、これにより回転軸Aの二つの従動支持ギアと連動して回転し、ベルトを通じて回転軸Aが回転し第二プーリと第一プーリと連動して同じ方向に回転し、これにより回転軸Bと連動して回転し、回転軸Bが回転し回転軸Bの二つのギアAと連動して回転し、四つのギアAが同じ方向に回転し、取付台と連動して前後に移動し、油圧ポンプの作用で、電磁弁が開く状態になり、油圧溝の油圧の大きさの変化を実現し、プッシュロッドの印刷装置の左右移動と連動して、第二駆動機が動作し、円錐形プーリーCと円錐形プーリーDが係合し伝動し、回転軸Cと連動して回転し、これによりギアBと連動して回転し、ギアBとギアCが噛み合い、ギアCが回転し、回転軸Dと連動して回転し、回転軸Dの偏心輪と連動して回転し、偏心輪と接触する滑走レバーが偏心輪の回転とバネの弾性作用のもとで、案内ブロックを通じて、滑走レバーの昇降を実現し、滑走レバーと固定的に接続するレーザープリントヘッドが昇降する。
【発明の効果】
【０００９】
現在の技術と比べ、本発明の有益な効果は、使用する時に、第一駆動機が作業し、回転軸Aが回転し、円錐形プーリーAと円錐形プーリーBが係合し伝動し、回転軸Aと連動して回転し、これにより回転軸Aの二つの従動支持ギアと連動して回転し、ベルトを通じて回転軸Aが回転し第二プーリと第一プーリと連動して同じ方向に回転し、これにより回転軸Bと連動して回転し、回転軸Bが回転し回転軸Bの二つのギアAと連動して回転し、四つのギアAが同じ方向に回転し、取付台と連動して前後に移動し、油圧ポンプの作用で、電磁弁が開く状態になり、油圧溝の油圧の大きさの変化を実現し、プッシュロッドの印刷装置の左右移動と連動して、第二駆動機が動作し、円錐形プーリーCと円錐形プーリーDが係合し伝動し、回転軸Cと連動して回転し、これによりギアBと連動して回転し、ギアBとギアCが噛み合い、ギアCが回転し、回転軸Dと連動して回転し、回転軸Dの偏心輪と連動して回転し、偏心輪と接触する滑走レバーが偏心輪の回転とバネの弾性作用のもとで、案内ブロックを通じて、滑走レバーの昇降を実現し、滑走レバーと固定的に接続するレーザープリントヘッドが昇降する。
【図面の簡単な説明】
【００１０】
【図１】図１は本発明の高精度高効率の3 Dプリンターの全体の正面構造概略図である。
【図２】図２は本発明の高精度高効率の3 Dプリンターの台座の俯瞰構造概略図である。
【図３】図３は本発明の高精度高効率の3 Dプリンターの印刷装置の全体の正面構造概略図である。
【図４】図４は本発明の高精度高効率の3 Dプリンターのねじ回転構造の全体の正面構造概略図である。
【発明を実施するための形態】
【００１１】
下記では本発明の実施例の中の図面を交え、本発明の実施例の技術方案を明確にはっきりと説明し、説明した実施例がただ本発明の一部分の実施例で、全部の実施例ではないということである。本発明の実施例に基づいて、本領域の当業者が創造的な労働を払わないことを前提に得る全部のその他の実施例は本発明の保護範囲に属する。
【００１２】
図1〜4を参照し、本発明に係る実施例の高精度高効率の3Dプリンターは台座1を含み、前記台座1の内部に回転筐体2が設置され、前記回転筐体2の上端壁の左右両端に対称に滑走溝3が設置され、前記滑走溝3が回転筐体2と取付台4と連結し、前記取付台4と台座1が滑走溝3を通じて摺動可能なように係合し接続し、前記回転筐体2の前端壁に取付穴5が設置され、前記取付穴5の前端壁に第一駆動機6が固定的に接続され、前記取付穴5の前端壁にスルーホール7が設置され、前記スルーホール7が取付穴5と回転筐体2をつなげ、前記第一駆動機6に前端がスルーホール7を通り抜ける回転軸A8が動力が伝達可能なように接続され、前記回転軸A8の前端に固定的に接続する円錐形プーリーA9が設置され、前記円錐形プーリーA9にそれと係合し接続する円錐形プーリーB10が設置され、前記円錐形プーリーB10の中心にそれと固定し接続する回転軸A11が設置され、前記回転軸A11が回転筐体の左右両端壁と回転可能なように接続し、前記回転軸A11の一番左端に固定的に接続する第一プーリ12が設置され、前記第一プーリ12の前端にベルトを通じて駆動する第二プーリ13が設置され、前記第二プーリ13の中心にそれと固定し接続する回転軸B14が設置され、前記回転軸A11と回転軸B14に左右に対称にギアA15が設置され、前記取付台4の下端面に左右両端が対称的に二つの歯形溝16が設置され、前記ギアA15が歯形溝16と転動し接続し、前記回転軸A11と回転軸B14に左右に対称的にベアリング17が設置され、前記台座1の上端面の左右両端に対称的に支持レバー18が設置され、前記支持レバー18の上端面に二つのそれと固定的に接続する固定接続ブロック19が設置され、前記固定接続ブロック19に油圧溝20が設置され、左側の油圧溝20の上端面に油圧穴A21が設置され、右側の油圧溝20の上端面に油圧穴B22が設置され、前記油圧穴A21と油圧穴B22に電磁弁23が設置され、前記油圧穴A21と油圧穴B22に導流管24が設置されそれらを連結し、前記導流管24の中心に油圧ポンプ25が設置され、左右両側の油圧溝20にプッシュロッド26が設置され、前記プッシュロッド26の中心に印刷装置27が固定的に接続し、前記印刷装置27が取付箱28を含み、前記取付箱28にキャビティ29が設置され、前記キャビティ29の上端面に第二駆動機30が設置され、前記第二駆動機30の下端に回転軸B31が設置され、前記回転軸B31の下端にそれと固定し接続する円錐形プーリーC32が設置され、前記円錐形プーリーC32の下にそれと係合し接続する円錐形プーリーD33が設置され、前記円錐形プーリーD33の中心にそれと固定的に接続する回転軸C34が設置され、前記回転軸C34がキャビティ29の左右端壁と回転可能なように接続し、前記回転軸C34に前記円錐形プーリーD33の左側に位置するギアB35が固定的に取り付けられ、前記ギアB35の下にそれと係合し接続するギアC36が設置され、前記ギアC36の中心にそれと固定的に接続する回転軸D37が設置され、前記回転軸D37がキャビティ29の左右端壁と回転可能なように接続し、前記回転軸D37に前記ギアC36の右側に位置する偏心輪38が固定的に取り付けられ、前記偏心輪38の下端面に滑走レバー39が設置され、前記滑走レバー39の上端に左右に対称的に案内ブロック40が設置され、前記キャビティ29の壁が案内ブロック40と対応する位置に案内溝41が設置され、前記案内ブロック40が案内溝41に位置し上下に滑走でき、前記案内��41の上端壁に収縮溝42が設置され、前記収縮溝42の上端壁にバネ43が固定的に接続され、前記バネ43の下端が収縮溝42を通り抜けて案内ブロック40と固定的に接続し、前記滑走レバー39の下端がキャビティ29を通り抜けてレーザープリントヘッド44が固定的に接続され、前記取付台4の上端面に均等に分布する多くのねじ回転構造45が設置され、前記ねじ回転構造45が前記取付台4に設置される回転筐体47を含み、前記回転筐体47に回転ボルト46と固定的に接続するギアD48が設置され、前記ギアD48の右側にそれと係合し接続するギアE49が設置され、前記ギアE49の中心にそれと固定的に接続する筒セット56が設置され、前記筒セット56の内部にねじ穴50が設置され、前記ねじ穴50にねじレバー51が係合し接続され、前記ねじレバー51の下端面に側溝52が設置され、前記側溝52に前記ねじレバー51の下端面と固定的に接続するブロック53が滑走できるように係合され、その作用はねじレバーが上下に運動することを保証し、ねじレバーが回転し運動することを防ぎ、前記ねじレバー51が取付台4と接続する所に固定的に接続する固定接続板54が設置される。
【００１３】
好ましくは前記バネ43が弾力が滑走レバー39とレーザープリントヘッド44の重量の和よりはるかに大きく、これによりバネ43が弾力の作用のもとで滑走レバー39とレーザープリントヘッド44と連動して上昇する。
【００１４】
好ましくは前記回転ボルト46の上端にブリケット55が嵌着され、その作用は、ブリケット55と固定接続板54が挟持構造を形成し、印刷物をしっかり固定し、印刷物が印刷される時に移動し、印刷が失敗で引き起こす原材料の浪費を防ぎ、印刷する過程の品質を有効的に保証できる。
【００１５】
具体的な使用方式において、本発明が作業する時に、印刷物を取付台4の上に置いて、支持点がある所のねじ回転構造44を選択し、回転ボルト45を回転し、回転ボルト45が回転しギアD46とギアE47と連動して回転し、これによりねじレバー49と連動して下に移動し、ブリケット53と固定接続板52が挟持構造を形成し、印刷物をしっかり固定し、印刷物が印刷される時に移動し、印刷が失敗で引き起こす原材料の浪費を防ぎ、印刷する過程の品質を有効的に保証できる。
【００１６】
使用する時に、第一駆動機6が作業し、回転軸A8が回転し、円錐形プーリーA9と円錐形プーリーB10が係合し伝動し、回転軸A11と連動して回転し、これにより回転軸A11の二つの従動支持ギア15と連動して回転し、ベルトを通じて回転軸A11が回転し第二プーリ13と第一プーリ12と連動して同じ方向に回転し、これにより回転軸B14と連動して回転し、回転軸B14が回転し回転軸B14の二つのギアA15と連動して回転し、四つのギアAが同じ方向に回転し、取付台4と連動して前後に移動し、油圧ポンプ25の作用で、電磁弁23が開く状態になり、油圧溝20の油圧の大きさの変化を実現し、プッシュロッド26の印刷装置27の左右移動と連動して、第二駆動機30が動作し、円錐形プーリーC32と円錐形プーリーD33が係合し伝動し、回転軸C34と連動して回転し、これによりギアB35と連動して回転し、ギアB35とギアC36が噛み合い、ギアC36が回転し、回転軸D37と連動して回転し、回転軸D37の偏心輪38と連動して回転し、偏心輪38と接触する滑走レバー39が偏心輪38の回転とバネ43の弾性作用のもとで、案内ブロック40を通じて、滑走レバー39の昇降を実現し、滑走レバー39と固定的に接続するレーザープリントヘッド44が昇降する。
【００１７】
本分野の技術者にとって、本発明は上記の模範の実施例の細部に限らなく、本発明の意義また基本的な特徴から背離しない状況で、その他の具体的な形式で本発明を実現できる。それゆえ、どこから見てもこの実施例を模範で制限性ではないことと見なして、本発明の範囲は添付の特許請求の範囲に確定され、特許請求の範囲と同等の意味範囲内にある全部の変化を本発明に包括させる。特許請求の範囲の中の全ての符号を特許請求の範囲を制限することとみなさない。
【図１】
2019181556.tif 000003
【図２】
2019181556.tif 000004
【図３】
2019181556.tif 000005
【図４】
2019181556.tif 000006